(57)【要約】【課題】同一観察環境下での印刷物のモニタプルーフにおいて、フレアが存在しても印刷物とモニタとの見えを一致させることを可能とするモニタへの印刷物表示方法、装置及びプログラムを提供する。【解決手段】同一観察環境２００下において印刷物側とモニタ側の両フレア量を考慮し、印刷物２２をモニタ１４に再現しようとするモニタ用画像データを補正演算部を利用して求めているので、印刷物側とモニタ側のそれぞれのフレアを正しく考慮した印刷物２２の印刷画像２０の見えをモニタ１４にプルーフ画像１２０として再現することができる。【選択図】図２
2010081325.tif 000002
【特許請求の範囲】
【請求項１】
同一観察環境下において、印刷物の見えをモニタに再現する際、
前記印刷物側のフレア量を取得するとともに、前記モニタ側のフレア量を取得し、
取得した両フレア量に基づいて前記モニタに再現しようとする画像を演算により求め、
求めた画像を前記モニタに表示する
ことを特徴とするモニタへの印刷物表示方法。
【請求項２】
請求項１記載のモニタへの印刷物表示方法において、
前記印刷物側のフレア量を取得する際、
前記印刷物を印刷する印刷機から出力された複数のカラーパッチからなるカラーチャートを通常の測色計により測色した測色値と、前記複数のカラーパッチからなる前記カラーチャートを前記観察環境下で望遠型測色計により測色した測色値との差分値の平均値を前記印刷物側のフレア量とする
ことを特徴とするモニタへの印刷物表示方法。
【請求項３】
請求項１記載のモニタへの印刷物表示方法において、
前記モニタ側のフレア量を取得する際、
複数のカラーパッチからなるカラーチャートを前記モニタに表示し、表示された前記複数のカラーパッチからなる前記カラーチャートを、接触型測色計と前記観察環境下で望遠型測色計とによりそれぞれ測色し、得られた各測色値の差分値の平均値を前記モニタ側のフレア量とする
ことを特徴とするモニタへの印刷物表示方法。
【請求項４】
請求項１記載のモニタへの印刷物表示方法において、
前記印刷物側のフレア量を取得する際、
前記印刷物を印刷する印刷機から出力されたグレイスケールチャートを通常の測色計により測色した測色値と、前記グレイスケールチャートを前記観察環境下で望遠型測色計で測色した測色値との差分値の平均値を前記印刷物側のフレア量とする
ことを特徴とするモニタへの印刷物表示方法。
【請求項５】
請求項１記載のモニタへの印刷物表示方法において、
前記モニタ側のフレア量を取得する際、
グレイスケールチャートを前記モニタに表示し、表示されたグレイスケールチャートを、接触型測色計と前記観察環境下で望遠型測色計とによりそれぞれ測色し、得られた各測色値の差分値の平均値を前記モニタ側のフレア量とする
ことを特徴とするモニタへの印刷物表示方法。
【請求項６】
請求項１記載のモニタへの印刷物表示方法において、
前記モニタ側のフレア量を取得する際、
複数のカラーパッチからなるカラーチャートを前記モニタに表示し、表示された前記複数のカラーパッチからなる前記カラーチャートを、前記観察環境下及び該観察環境に係る光源をオフ状態にした環境下で、望遠型測色計によりそれぞれ測色し、測色値の差分値の平均値を前記モニタ側のフレア量とする
ことを特徴とするモニタへの印刷物表示方法。
【請求項７】
請求項１に記載のモニタへの印刷物表示方法において、
前記モニタ側のフレア量を取得する際、
グレイスケールチャートを前記モニタに表示し、表示されたグレイスケールチャートを、前記観察環境下及び該観察環境に係る光源をオフ状態にした環境下で、望遠型測色計によりそれぞれ測色し、各測色値の差分値の平均値を前記モニタ側のフレア量とする
ことを特徴とするモニタへの印刷物表示方法。
【請求項８】
請求項１〜７のいずれか１項に記載のモニタへの印刷物表示方法において、
取得した前記印刷物側のフレア量と前記モニタ側のフレア量の両フレア量に基づいて前記モニタに再現しようとする画像を演算により求める際、
前記印刷物のデバイス依存の画像データを印刷プロファイルによりデバイス非依存の画像データに変換した後、該デバイス非依存の画像データを前記両フレア量により補正し、補正後のデバイス非依存の画像データをモニタプロファイルにより前記モニタのデバイス依存の画像データに変換する
ことを特徴とするモニタへの印刷物表示方法。
【請求項９】
同一観察環境下において、印刷物の見えをモニタに再現するモニタへの印刷物表示装置において、
前記印刷物側のフレア量を取得するとともに、前記モニタ側のフレア量を取得するフレア量取得手段と、
取得した両フレア量に基づいて前記モニタに再現しようとする画像を演算により求める演算手段と、
を備えることを特徴とするモニタへの印刷物表示装置。
【請求項１０】
同一観察環境下において、印刷物の見えをモニタに再現する際、
コンピュータに、
前記印刷物側のフレア量と、前記モニタ側のフレア量とに基づいて前記モニタに再現しようとする画像を演算により求める機能
を実現させるためのプログラム。
【発明の詳細な説明】
【技術分野】
【０００１】
この発明は、印刷物の見えをモニタに再現するモニタへの印刷物表示方法、装置及びプログラムに関する。
【背景技術】
【０００２】
近時、モニタ（ディスプレイ、表示部）上に印刷物のプルーフ画像を表示して前記印刷物の色校正を行うモニタプルーフ（ソフトプルーフ）が提案されている。このモニタプルーフは、校正が迅速に行えるという利点がある。
【０００３】
印刷物の見えをモニタに再現するモニタプルーフにおいては、印刷物とモニタを同時に観察する必要性から明室環境（明室条件）の同一観察環境下で観察される場合が多い。しかし、明室環境ではモニタ表面で反射するフレア光が存在するため、モニタ側のプルーフ画像の見えが変化してしまう問題がある。
【０００４】
この問題を解決するため、特許文献１では、環境光が照明された状態と遮断された状態でそれぞれモニタ上の色を測定することで、環境光の影響を考慮した測定を行うことができると開示されている。
【０００５】
【特許文献１】特開２００６−３４９８３５号公報
【発明の開示】
【発明が解決しようとする課題】
【０００６】
ところで、モニタ側に限らず、印刷物側でも、設置環境によって正反射光に近い光が目に入ってくることがあり、これもモニタのフレア光と同様の働きをすることから、印刷物の見えも環境によって変化する。
【０００７】
しかしながら、上記した特許文献１に係る技術では、印刷物側に対するフレアの補正技術については何も言及されておらず、依然として印刷物の見えとモニタプルーフの見えが合わない場合がある。
【０００８】
この発明は、このような課題を考慮してなされたものであって、同一観察環境下での印刷物のモニタプルーフにおいて、フレアが存在しても印刷物とモニタとの見えを一致させることを可能とするモニタへの印刷物表示方法、装置及びプログラムを提供することを目的とする。
【課題を解決するための手段】
【０００９】
この発明に係るモニタへの印刷物表示方法では、同一観察環境下において、印刷物の見えをモニタに再現する際、前記印刷物側のフレア量を取得するとともに、前記モニタ側のフレア量を取得し、取得した両フレア量に基づいて前記モニタに再現しようとする画像を演算により求め、求めた画像を前記モニタに表示するようにしている。
【００１０】
この発明は、種々の形態で実現することが可能であり、上記モニタへの印刷物表示方法の他、例えば、モニタへの印刷物表示装置、この装置の機能を実現するためのコンピュータプログラム等の形態で実現することができる。
【発明の効果】
【００１１】
この発明によれば、同一観察環境下において印刷物側とモニタ側の両フレア量を考慮して、印刷物をモニタに再現しようとする画像を求めているので、印刷物側とモニタ側のそれぞれのフレアを正しく考慮した印刷物の見えをモニタに再現することができる。
【００１２】
すなわち、明室下での印刷物のモニタプルーフにおいて、それぞれにフレアが存在していても印刷物とモニタでの見えを一致させることができる。
【発明を実施するための最良の形態】
【００１３】
以下、この発明のモニタへの印刷物表示方法を実施する画像処理再現システムについて図面を参照して説明する。
【００１４】
図１は、画像処理再現システム１０の構成例を示している。この画像処理再現システム１０は、ワークステーション等のコンピュータ１２と表示装置であるモニタ１４とを含んで構成される。
【００１５】
この画像処理再現システム１０は、図２に示すように、印刷物２２に形成されたカラー画像である印刷画像２０と、この印刷画像２０に対応してモニタ１４に表示された同一絵柄のカラー画像であるプルーフ画像１２０との観察環境（観察照明環境）２００下でのフレアを考慮した観察者２０４による見えを一致させるシステムである。
【００１６】
なお、観察環境２００とは、例えば、予め定めた所定の蛍光灯等の光源（照明）２０２により照明された部屋等を意味する。
【００１７】
図１において、コンピュータ１２は、ＣＰＵが各種入力に基づきＲＯＭ等のメモリに記憶されているプログラムを実行することで各種の機能を実現する機能実現部（機能実現手段）として動作する。これらの機能は、ハードウエアにより実現することもできる。その場合、用語「〜部」は、「〜回路」、「〜器」、または「〜装置」に置換することができる。
【００１８】
ＣＴＰ装置１６は、入力ポート１０１を通じて入力される画像データＣＭＹＫ（シアン、マゼンタ、黄、黒）を受けて、対応する刷版ＣＭＹＫを作成する。なお、ＣＴＰ装置１６に入力される画像データＣＭＹＫとして、この実施形態では、図２に示す所望のカラー画像である印刷画像２０が形成された印刷物２２を印刷するための印刷物用画像データＣＭＹＫと、周知のＩＴ８カラーチャート等の複数のカラーパッチからなるカラーチャート２５（図１参照）が形成された印刷物２６を印刷するためのカラーチャート用画像データＣＭＹＫとを含む。
【００１９】
ＣＴＰ装置１６により作成された各刷版ＣＭＹＫは、印刷機１８に装填される。印刷機１８は、装填された各刷版ＣＭＹＫにインクを付けて多色刷りし、それぞれ、印刷用紙上に印刷画像２０（図２）が形成された印刷物２２、多数の色パッチからなるカラーチャート２５が形成された印刷物２６（図１）を出力する。
【００２０】
なお、デバイス依存の画像データであるカラーチャート用画像データＣＭＹＫは、コンピュータ１２内の印刷プロファイル５０によりデバイス非依存の画像データである測色値ＸＹＺに変換された後、模式的に描いたスイッチ６０（６０ａ、６０ｃ）及びスイッチ６２（６２ｃ、６２ａ）を通じてモニタプロファイル５２に供給され、モニタプロファイル５２によりデバイス依存の画像データであるカラーチャート画像データＲＧＢ（赤、緑、青）に変換される。
【００２１】
カラーチャート画像データＲＧＢがモニタ１４に供給されることで、モニタ１４上に印刷物２６のカラーチャート２５と同一図柄のカラーチャート１２５が表示される。
【００２２】
なお、図１、図２において、モニタ１４及び印刷物２２、２６は、蛍光灯等の光源２０２により照明される室内等の同一観察環境２００下に置かれる。
【００２３】
図１において、通常の測色計３０Ａ及び通常の測色計３０Ｂは、同一の測色計でも異なる測色計でもよいが、理解の便宜のために符号を変えている。ただし、通常の測色計３０Ｂは、内部光源をオフ状態としてモニタ１４に接触させて測色可能な接触型測色計として用いる。
【００２４】
また、望遠型測色計３２Ａ、望遠型測色計３２Ｂ、及び望遠型測色計３２Ｃも、同一の望遠型測色計でも異なる望遠型測色計でもよいが、理解の便宜のために符号を変えている。
【００２５】
コンピュータ１２内のメモリ４０は、４つの格納部４０ａ〜４０ｄを備える。格納部４０ａは、通常の測色計３０Ａによる印刷物２６のカラーチャート２５の各パッチの測色結果であるフレアの無い状態の測色値（Ｘｐｉ，Ｙｐｉ，Ｚｐｉ）を格納する。
【００２６】
格納部４０ｂは、観察環境２００下で観察者の観察方向から望遠型測色計３２Ａにより印刷物２６のカラーチャート２５の各パッチを測色した測色結果であるフレアの有る状態の測色値（Ｘ´ｐｉ，Ｙ´ｐｉ，Ｚ´ｐｉ）を格納する。
【００２７】
格納部４０ｃは、外部照明が入らない条件で、例えば、通常の測色計３０Ｂを該測色計３０Ｂの内部の光源をオフ状態にしてモニタ１４に接触させた状態で、すなわち接触型測色計としてあるいは光源２０２をオフ状態として望遠型測色計３２Ｂによりカラーチャート１２５の各パッチを測色した測色結果であるフレアの無い状態の測色値（Ｘｍｉ,Ｙｍｉ，Ｚｍｉ）を格納する。
【００２８】
格納部４０ｄは、光源２０２をオン状態とした観察環境２００下において、望遠型測色計３２Ｃによりカラーチャート１２５の各パッチを測色した測色結果であるフレアの有る状態の測色値（Ｘ´ｍｉ,Ｙ´ｍｉ，Ｚ´ｍｉ）を格納する。
【００２９】
印刷物側の差演算部３４は、カラーチャート２５を構成する同一のパッチに対して格納部４０ａから読み出した印刷物２６のフレアが有る場合の測色値（Ｘ´ｐｉ，Ｙ´ｐｉ，Ｚ´ｐｉ）と格納部４０ｂから読み出したフレアが無い場合の測色値（Ｘｐｉ，Ｙｐｉ，Ｚｐｉ）との差（差分値）（Ｘ´ｐｉ−Ｘｐｉ，Ｙ´ｐｉ−Ｙｐｉ，Ｚ´ｐｉ−Ｚｐｉ）を演算して印刷物側のフレア量算出部４２に供給する。
【００３０】
印刷物側のフレア量算出部４２は、次の（１）〜（３）式により印刷物側のフレア量（Ｘｐｆ，Ｙｐｆ，Ｚｐｆ）を算出する。
Ｘｐｆ＝｛Σ（Ｘ´ｐｉ−Ｘｐｉ）｝／Ｎ                      …（１）
Ｙｐｆ＝｛Σ（Ｙ´ｐｉ−Ｙｐｉ）｝／Ｎ                      …（２）
Ｚｐｆ＝｛Σ（Ｚ´ｐｉ−Ｚｐｉ）｝／Ｎ                      …（３）
【００３１】
ここで、Ｎは、測定パッチ数である。
【００３２】
モニタ側の差演算部３６は、カラーチャート１２５を構成する同一のパッチに対して格納部４０ｄから読み出したモニタ１４のフレアが有る場合の測色値（Ｘ´ｍｉ，Ｙ´ｍｉ，Ｚ´ｍｉ）と格納部４０ｃから読み出したフレアが無い場合の測色値（Ｘｍｉ，Ｙｍｉ，Ｚｍｉ）との差（差分値）（Ｘ´ｍｉ−Ｘｍｉ，Ｙ´ｍｉ−Ｙｍｉ，Ｚ´ｍｉ−Ｚｍｉ）を演算してモニタ側のフレア量算出部４４に供給する。
【００３３】
モニタ側のフレア量算出部４４は、次の（４）〜（６）式によりモニタ側のフレア量（Ｘｍｆ，Ｙｍｆ，Ｚｍｆ）を算出する。
Ｘｍｆ＝｛Σ（Ｘ´ｍｉ−Ｘｍｉ）｝／Ｋ                      …（４）
Ｙｍｆ＝｛Σ（Ｙ´ｍｉ−Ｙｍｉ）｝／Ｋ                      …（５）
Ｚｍｆ＝｛Σ（Ｚ´ｍｉ−Ｚｍｉ）｝／Ｋ                      …（６）
【００３４】
ここで、Ｋは、測定パッチ数である。この実施形態では、Ｋ＝Ｎであるが、Ｋ≠Ｎであってもよい。
【００３５】
補正演算部４６は、カラー画像である印刷画像２０を構成する画素毎の印刷物用画像データＣＭＹＫが印刷プロファイル５０によって変換された測色値ＸＹＺのフレア補正演算を次の（７）〜（９）式により行い、フレア補正結果の測色値（Ｘ´，Ｙ´，Ｚ´）をモニタプロファイル５２に供給する。
Ｘ´＝Ｘ＋（Ｘｐｆ−Ｘｍｆ）                                …（７）
Ｙ´＝Ｙ＋（Ｙｐｆ−Ｙｍｆ）                                …（８）
Ｚ´＝Ｚ＋（Ｚｐｆ−Ｚｍｆ）                                …（９）
【００３６】
モニタプロファイル５２は、フレア補正結果の測色値（Ｘ´，Ｙ´，Ｚ´）を画素毎のモニタ用画像データＲＧＢに変換してモニタ１４に供給する。
【００３７】
このように構成することでモニタ１４には、印刷物２６とモニタ１４の両方のフレアを考慮したカラー画像（プルーフ画像ともいう。）１２０を表示することができる。
【００３８】
よって、モニタ１４上に表示されたプルーフ画像１２０（図２参照）は、その観察環境２００下での印刷物２２のカラー画像である印刷画像２０にフレアを含めて見えが一致する。
【００３９】
次に、上述の実施形態に係るフレアを考慮した印刷物２２上のカラー画像である印刷画像２０に対するプルーフ画像１２０の表示手順について、図３に示すフローチャートを参照して説明する。
【００４０】
ステップＳ１において、例えばコンピュータ１２のユーザである観察者は、モニタ１４の表示対象、すなわちモニタプルーフの対象となる印刷系、ここでは印刷機１８を用いて予めＩＴ８カラーチャート等の複数のカラーパッチからなるカラーチャート２５を印刷用紙上に印刷した印刷物２６を作成し、作成した印刷物２６上の前記カラーチャート２５の各パッチを、通常の測色計３０Ａにより測色し、測色結果である印刷物２６のフレアの無い状態での測色値（Ｘｐｉ，Ｙｐｉ，Ｚｐｉ）を取得しておき、メモリ４０の格納部４０ａに格納しておく。
【００４１】
なお、カラーチャート２５が形成された印刷物２６を作成する際には、このカラーチャート２５に対応するカラーチャート用画像データＣＭＹＫを、印刷物のデザインレイアウト等を行う図示しないＤＴＰ（Ｄｅｓｋ  Ｔｏｐ  Ｐｕｂｌｉｓｈｉｎｇ）装置から入力ポート１０１を介してＣＴＰ装置１６に供給し、ＣＴＰ装置１６により作成された各刷版ＣＭＹＫを印刷機１８に装填することで、印刷機１８からカラーチャート２５が形成された印刷物２６が出力される。
【００４２】
次に、ステップＳ２において、光源２０２がオン状態（点灯状態）の観察環境２００下にカラーチャート２５が形成された前記印刷物２６を配置し、望遠型測色計３２Ａにより観察者２０４の観察方向から印刷物２６のカラーチャート２５の各パッチを測色し、測色結果である印刷物２６のフレアの有る状態での測色値（Ｘ´ｐｉ，Ｙ´ｐｉ，Ｚ´ｐｉ）を取得しておき、メモリ４０の格納部４０ｂに格納しておく。
【００４３】
次いで、ステップＳ３において、印刷物側の差演算部３４及び印刷物側のフレア量算出部４２により、上記（１）〜（３）式を用いて印刷物側のフレア量（Ｘｐｆ，Ｙｐｆ，Ｚｐｆ）を算出する。
【００４４】
このようにして、ステップＳ１〜Ｓ３で印刷物側のフレア量（Ｘｐｆ，Ｙｐｆ，Ｚｐｆ）が決定する。
【００４５】
次にステップＳ４において、モニタ１４にカラーチャート用画像データＲＧＢを供給することで、カラーチャート１２５をモニタ１４上に表示し、先ず、外部照明である光源２０２をオフ（消灯）にした状態で、モニタ１４上のカラーチャート１２５の各パッチを内部光源をオフ状態にした通常の測色計３０Ｂを接触させて又は望遠型測色計３２Ｂにより測色し、測色結果であるモニタ１４のフレアの無い状態での測色値（Ｘｍｉ，Ｙｍｉ，Ｚｍｉ）を取得してメモリ４０の格納部４０ｃに格納する。
【００４６】
なお、カラーチャート１２５をモニタ１４上に表示する際には、このカラーチャート１２５に対応するカラーチャート用画像データＣＭＹＫを上述したＤＴＰ装置等から入力ポート１０１を介して印刷プロファイル５０に供給し、カラーチャート用測色値ＸＹＺに変換し、このカラーチャート用測色値ＸＹＺをスイッチ６０（端子６０ａ、６０ｃ）及びスイッチ６２（端子６２ｃ、６２ａ）を通じてモニタプロファイル５２によりカラーチャート用画像データＲＧＢに変換してモニタ１４に供給することで、モニタ１４上にカラーチャート２５と同一図柄のカラーチャート１２５を表示することができる。
【００４７】
次いで、ステップＳ５において、ステップＳ４の状態で外部照明である光源２０２をオン（点灯）にした状態でモニタ１４上のカラーチャート１２５の各パッチを望遠型測色計３２Ｃで測色し、測色結果であるモニタ１４のフレアの有る状態での測色値（Ｘ´ｍｉ，Ｙ´ｍｉ，Ｚ´ｍｉ）を取得して、メモリ４０の格納部４０ｄに格納する。
【００４８】
次に、ステップＳ６において、モニタ側の差演算部３６及びフレア量算出部４４により、上記（４）〜（６）式を用いてモニタ側のフレア量（Ｘｍｆ，Ｙｍｆ，Ｚｍｆ）を算出する。
【００４９】
このようにして、ステップＳ４〜Ｓ６でモニタ側のフレア量（Ｘｍｆ，Ｙｍｆ，Ｚｍｆ）が決定する。
【００５０】
ステップＳ３で算出された印刷物側のフレア量（Ｘｐｆ，Ｙｐｆ，Ｚｐｆ）とステップＳ６で算出されたモニタ側のフレア量（Ｘｍｆ，Ｙｍｆ，Ｚｍｆ）との差の測色値（Ｘｐｆ−Ｘｍｆ，Ｙｐｆ−Ｙｍｆ，Ｚｐｆ−Ｚｍｆ）が、印刷プロファイル５０により変換された測色値ＸＹＺのフレアを考慮した補正値とされる。
【００５１】
補正演算は、補正演算部４６で上記した（７）〜（９）式により行われる。
【００５２】
そこで、ステップＳ７において、印刷物２２のカラー画像である印刷画像２０（図２）のプルーフ画像１２０（図２）をモニタ１４に表示しようとする際、印刷物２２の印刷画像２０を表す印刷物用画像データＣＭＹＫを入力ポート１０１からコンピュータ１２の印刷プロファイル５０に供給すると、印刷プロファイル５０により測色値ＸＹＺに変換される。この測色値ＸＹＺは、スイッチ６０（端子６０ａ、端子６０ｂ）を介して補正演算部４６に供給される。
【００５３】
次いで、ステップＳ８において、補正演算部４６は、印刷画像２０を構成する印刷物用画像データＣＭＹＫが印刷プロファイル５０によって変換された画素毎の測色値ＸＹＺのフレア補正演算を上記の（７）〜（９）式により行い、フレア補正結果の測色値（Ｘ´，Ｙ´，Ｚ´）に変換し、スイッチ６２（６２ｂ、６２ａ）を通じてモニタプロファイル５２に供給する。
【００５４】
ステップＳ９において、モニタプロファイル５２は、フレア補正結果の測色値（Ｘ´，Ｙ´，Ｚ´）を画素毎のモニタ用画像データＲＧＢに変換してモニタ１４に供給する。
【００５５】
このようにしてモニタ１４には、フレアを考慮したカラー画像であるプルーフ画像１２０が表示される（図２参照）。
【００５６】
このようにすれば、モニタ１４上に表示されたプルーフ画像１２０は、その観察環境２００下での印刷物２２の印刷画像２０にフレアを含めて見えが一致する。
【００５７】
以上説明したように、上述した実施形態によれば、同一観察環境２００下において、印刷物２２のカラー画像である印刷画像２０の見えをモニタ１４にプルーフ画像１２０として再現する際、印刷物側のフレア量（Ｘｐｆ，Ｙｐｆ，Ｚｐｆ）を取得するとともに、モニタ側のフレア量（Ｘｍｆ，Ｙｍｆ，Ｚｍｆ）を取得し、取得した両フレア量｛（Ｘｐｆ，Ｙｐｆ，Ｚｐｆ）、（Ｘｍｆ，Ｙｍｆ，Ｚｍｆ）｝に基づいてモニタ１４に再現しようとするプルーフ画像１２０を補正演算により求め、求めたプルーフ画像１２０をモニタ１４に表示するようにしている。
【００５８】
このように、同一観察環境２００下において印刷物側とモニタ側の両フレア量を考慮して、モニタ１４に再現しようとする印刷物２２の印刷画像２０のプルーフ画像１２０を求めているので、印刷物側とモニタ側のそれぞれのフレアを正しく考慮した印刷物２２の印刷画像２０の見えをモニタ１４にプルーフ画像１２０として再現することができる。
【００５９】
すなわち、光源２０２がオン状態（点灯した状態）での明室（観察環境２００）下での印刷物２２の、いわゆるモニタプルーフにおいて、印刷物２２及びモニタ１４のそれぞれにフレアが存在していても印刷物２２とモニタ１４での印刷画像２０とプルーフ画像１２０の観察者２０４による見えを一致させることができる（図２参照）。
【００６０】
なお、印刷物側のフレア量（Ｘｐｆ，Ｙｐｆ，Ｚｐｆ）を取得する際、上述したように、印刷画像２０が形成された印刷物２６を印刷する印刷機１８から出力された印刷物２６上の複数（Ｎ個）のカラーパッチからなるカラーチャート２５を通常の測色計３０Ａにより測色した測色値（Ｘｐｉ，Ｙｐｉ，Ｚｐｉ）と、複数のカラーパッチからなるカラーチャート２５を観察環境２００下で光源２０２をオンした状態で望遠型測色計３２Ａにより測色した測色値（Ｘ´ｐｉ，Ｙ´ｐｉ，Ｚ´ｐｉ）との差分値（Ｘ´ｐｉ−Ｘｐｉ，Ｙｐｉ−Ｙ´ｐｉ，Ｚ´ｐｉ−Ｚｐｉ）の平均値｛（Ｘ´ｐｉ−Ｘｐｉ）／Ｎ，（Ｙｐｉ−Ｙ´ｐｉ）／Ｎ，（Ｚ´ｐｉ−Ｚｐｉ）／Ｎ｝を印刷物側のフレア量（Ｘｐｆ，Ｙｐｆ，Ｚｐｆ）とすることができる。
【００６１】
また、モニタ側のフレア量（Ｘｍｆ，Ｙｍｆ，Ｚｍｆ）を取得する際、上述したように、観察環境２００下において複数（Ｋ個、この実施形態ではＫ＝Ｎ）のカラーパッチからなるカラーチャート１２５をモニタ１４に表示し、表示された複数のカラーパッチからなるカラーチャート１２５を接触型の内部光源をオフ状態にした通常の測色計３０Ｂにより測色した測色値（Ｘｍｉ，Ｙｍｉ，Ｚｍｉ）と、望遠型測色計３２Ｃとにより測色した測色値（Ｘ´ｍｉ，Ｙ´ｍｉ，Ｚ´ｍｉ）の差分値（Ｘ´ｍｉ−Ｘｍｉ，Ｙ´ｍｉ−Ｙｍｉ，Ｚ´ｍｉ−Ｚｍｉ）の平均値｛（Ｘ´ｍｉ−Ｘｍｉ）／Ｋ，（Ｙ´ｍｉ−Ｙｍｉ）／Ｋ，（Ｚ´ｍｉ−Ｚｍｉ）／Ｋ｝を前記モニタ側のフレア量（Ｘｍｆ，Ｙｍｆ，Ｚｍｆ）とすることができる。
【００６２】
なお、印刷物側のフレア量（Ｘｐｆ，Ｙｐｆ，Ｚｐｆ）を取得する際の他の実施形態として、図４に示すように、印刷機１８から出力された印刷物２６Ａ上に形成された黒パッチを含むグレイスケールチャート２５Ａを通常の測色計３０Ａにより測色した測色値（Ｘｐｉ，Ｙｐｉ，Ｚｐｉ）と、前記黒パッチを含むグレイスケールチャート２５Ａを観察環境２００下で望遠型測色計３２Ａで測色した測色値（Ｘ´ｐｉ，Ｙ´ｐｉ，Ｚ´ｐｉ）との差分値（Ｘ´ｐｉ−Ｘｐｉ，Ｙ´ｐｉ−Ｙｐｉ，Ｚ´ｐｉ−Ｚｐｉ）の平均値を印刷物側のフレア量（Ｘｐｆ，Ｙｐｆ，Ｚｐｆ）とすることができる。グレイスケールチャート２５Ａは、例えば、網パーセント階調で６０％から５％刻みで１００％までの９個のパッチを利用することができる。一般に、黒パッチを含むグレイスケールチャート２５Ａは、フレア光量に対するパッチ自身の反射光量の比の値が，白パッチなどに比べて低いという理由からフレア量をより正確に測定することができる。
【００６３】
モニタ側のフレア量（Ｘｍｆ，Ｙｍｆ，Ｚｍｆ）を取得する際にも、同様にして、図４に示すように、観察環境２００下において黒パッチを含むグレイスケールチャート１２５Ａをモニタ１４に表示し、表示された黒パッチを含むグレイスケールチャート１２５Ａを内部光源をオフ状態にし接触させて測色する通常の測色計３０Ｂ（接触型測色計）と、望遠型測色計３２Ｃとによりそれぞれ測色し、得られた各測色値の差分値の平均値を前記モニタ側のフレア量とすることができる。
【００６４】
なお、モニタ１４にカラーチャート１２５を表示させた場合（図１参照）に、モニタ側のフレア量（Ｘｍｆ，Ｙｍｆ，Ｚｍｆ）を取得する際、前記複数のカラーパッチからなるカラーチャート１２５を、観察環境２００下及び該観察環境２００に係る光源２０２をオフ状態にした環境下で、望遠型測色計３２Ｃによりそれぞれ測色し、測色値の差分値の平均値を前記モニタ側のフレア量（Ｘｍｆ，Ｙｍｆ，Ｚｍｆ）とすることができる。
【００６５】
モニタ１４にグレイスケールチャート１２５Ａを表示させた場合（図４参照）に、モニタ側のフレア量（Ｘｍｆ，Ｙｍｆ，Ｚｍｆ）を取得する際、前記黒パッチを含むグレイスケールチャート１２５Ａを、観察環境２００下及び該観察環境２００に係る光源２０２をオフ状態にした環境下で、望遠型測色計３２Ｃによりそれぞれ測色し、測色値の差分値の平均値を前記モニタ側のフレア量（Ｘｍｆ，Ｙｍｆ，Ｚｍｆ）とすることができる。
【００６６】
そして、取得した前記印刷物側のフレア量（Ｘｐｆ，Ｙｐｆ，Ｚｐｆ）と前記モニタ側のフレア量（Ｘｍｆ，Ｙｍｆ，Ｚｍｆ）の両フレア量に基づいて前記モニタに再現しようとするプルーフ画像１２０を演算により求めるとき、印刷物２２を作成しようとする際のデバイス依存の画像データである印刷物用画像データＣＭＹＫを印刷プロファイル５０によりデバイス非依存の画像データである測色値ＸＹＺに変換した後、該デバイス非依存の画像データである測色値ＸＹＺを前記両フレア量により補正し、すなわち、補正演算部４６により、前記（７）〜（９）式により補正し、補正後のデバイス非依存の画像データである測色値（Ｘ´，Ｙ´，Ｚ´）をモニタプロファイル５２によりモニタ１４のデバイス依存の画像データであるモニタ用画像データＲＧＢに変換する。
【００６７】
このモニタ用画像データＲＧＢをモニタ１４に供給することで、モニタ１４上に、両フレア量を考慮した印刷物２２のカラー画像である印刷画像２０の見えを表すプルーフ画像１２０を表示することができる（図２参照）。
【００６８】
なお、上記実施形態において、通常の測色計３０Ａ、３０Ｂ及び望遠型測色計３２Ａ〜３２Ｃは、フレア量取得手段であり、フレア量取得量手段により取得した両フレア量に基づいてモニタ１４に再現しようとする画像を演算により求める演算手段は、補正演算部４６が該当する。モニタ１４への印刷物表示装置は、これら測色計３０Ａ、３０Ｂ、望遠型測色計３２Ａ〜３２Ｃ及びコンピュータ１２が該当する。
【００６９】
また、コンピュータ１２に、印刷物側のフレア量と、モニタ側のフレア量とに基づいてモニタ１４に再現しようとする画像を演算により求める機能を実現させるためのプログラムは、補正演算部４６の前記（７）〜（９）式に該当する。
【００７０】
なお、この発明は、上述の実施形態に限らず、この明細書の記載内容に基づき、種々の構成を採り得ることはもちろんである。
【図面の簡単な説明】
【００７１】
【図１】この発明の一実施形態に係わる画像処理再現システムの構成図である。
【図２】同一観察環境下で印刷物上のカラー画像とモニタ上のプルーフ画像を観察者が観察している状態を示す説明図である。
【図３】図１例の画像処理再現システムの動作説明に供されるフローチャートである。
【図４】黒パッチを含むグレイスケールチャートの測色計による測色動作の説明図である。
【符号の説明】
【００７２】
１０…画像処理再現システム            １２…コンピュータ
１４…モニタ                          １８…印刷機
２０…印刷画像（カラー画像）          ２２…印刷物
２５…カラーチャート                  ２５Ａ…グレイスケールチャート
２６、２６Ａ…印刷物                  ３０Ａ、３０Ｂ…通常の測色計
３２Ａ〜３２Ｃ…望遠型測色計          ３４、３６…差演算部
４０…メモリ                          ４２、４４…フレア量算出部
４６…補正演算部                      ５０…印刷プロファイル
５２…モニタプロファイル              １２０…プルーフ画像
１２５…カラーチャート                １２５Ａ…グレイスケールチャート
２００…観察環境                      ２０２…光源
【図１】
2010081325.tif 000003
【図２】
2010081325.tif 000004
【図３】
2010081325.tif 000005
【図４】
2010081325.tif 000006